(57)【要約】      （修正有）【課題】回転軸から被取付物を取り外す際に、キーを第１キー溝または第２キー溝に取り残すことがなく、取り出した小さなキーを紛失しにくい座金部材およびこれを用いた２軸スクリューポンプを提供する。【解決手段】座金部材１は、回転軸２８ａの先端面２８Ａに形成された雌ネジ穴３８と螺合するボルト１１を挿通するためのボルト挿通穴５を有し、回転軸２８ａの外周面に装着された被取付物２７ａを回転軸心Ｃ方向について抜け止め支持するためにボルト挿通穴５に挿通されたボルト１１により回転軸２８ａの先端面２８Ａに固定される座金板部２と、回転軸２８ａに形成されている第１キー溝３５、および、この第１キー溝３５と対面する位置の被取付物２７ａに形成されている第２キー溝３６の双方に嵌装されて、回転軸２８ａに被取付物２７ａを回転軸周方向について固定するキー部３と、が一体に連結されている構成にされている。【選択図】図６
0003181159.tif 000002
【実用新案登録請求の範囲】
【請求項１】
回転軸の先端面に形成された雌ネジ穴と螺合するボルトを挿通するためのボルト挿通穴を有し、回転軸の外周面に装着された被取付物を回転軸心方向について抜け止め支持するために前記ボルト挿通穴に挿通されたボルトにより回転軸の先端面に固定される座金板部と、
回転軸に形成されている第１キー溝、および、この第１キー溝と対面する位置の被取付物に形成されている第２キー溝の双方に嵌装されて、回転軸に被取付物を回転軸周方向について固定するキー部と、
が一体に連結されていることを特徴とする座金部材。
【請求項２】
非接触に噛合して回転する一対のポンプスクリューと、このポンプスクリューのそれぞれの軸穴に装着される一対の回転軸と、一対のポンプスクリューを収容するポンプ室が内部に形成されたポンプケーシングと、このポンプケーシングに連結されていて一対の回転軸の片端をそれぞれ支承する軸受部とを備え、一対の回転軸およびポンプスクリューの回転駆動により、被移送物をポンプケーシングのポンプスクリュー自由端側からポンプ室に取り入れ、ポンプケーシングにおけるポンプ室と軸受部間の位置に設けた吐出口から被移送物を吐出する２軸スクリューポンプにおいて、
一対の回転軸の自由端側に第１キー溝がそれぞれ形成され、一対の回転軸の外周面に装着されたポンプスクリューにおける前記第１キー溝と対面する位置の軸穴に、第２キー溝がそれぞれ形成され、一対の回転軸の自由端側端面に雌ネジ穴がそれぞれ形成され、更に、請求項１記載の座金部材におけるキー部が第１キー溝および第２キー溝の双方に嵌装されることにより、ポンプスクリューが回転軸に回転軸周方向について固定され、座金部材における座金板部のボルト挿通穴に挿通されたボルトが回転軸の雌ネジ穴と螺合することにより、ポンプスクリューが回転軸に回転軸心方向について抜け止め支持されることを特徴とする２軸スクリューポンプ。
【考案の詳細な説明】
【技術分野】
【０００１】
本考案は、回転軸の外周面に装着された被取付物を回転軸に固定するために使用される座金部材およびこれを用いた２軸スクリューポンプに関するものである。
【背景技術】
【０００２】
従来、この種の２軸スクリューポンプを図７に示す。図に示した２軸スクリューポンプ５１は、ポンプ室２２を内蔵するポンプケーシング２３と、ポンプケーシング２３に連結された軸受部２４とを備えている。ポンプケーシング２３は、ポンプ室２２を有する筒状の本体ケーシング２５と、本体ケーシング２５に連結された口金２６とから構成されている。口金２６は、被移送物を取り入れるための取入口３１が形成されている。ポンプ室２２内には一対のポンプスクリュー２７ａ，２７ｂ（ポンプスクリュー２７ｂは図中でポンプスクリュー２７ａの背後にある）が収容されている。ポンプスクリュー２７ａ，２７ｂは回転軸２８ａ，２８ｂ（回転軸２８ｂは図中で回転軸２８ａの背後にある）の自由端側から嵌装され、座金板５２およびボルト５４によって回転軸２８ａ，２８ｂに抜け止め固定される。前記の自由端とは軸受などで支承されていない側の先端部分をいう。ポンプ室２２と軸受部２４間の吐出側空間２９を臨む位置の本体ケーシング２５に吐出口３０が設けられている。ポンプスクリュー２７ａ，２７ｂの回転軸２８ａ，２８ｂの末端部は軸受部２４内の軸受（図示省略）に回動自在に支承されていて、互いに噛合する同期歯車４０ａ，４０ｂにより逆向きに同期回転するようになっている。そして、回転軸２８ａ，２８ｂの第１キー溝３５，３５およびポンプスクリュー２７ａ，２７ｂの第２キー溝３６，３６の双方に、キー５３が嵌装されることにより、ポンプスクリュー２７ａ，２７ｂが回転軸２８ａ，２８ｂに回転軸周方向について固定される。
【０００３】
前記の２軸スクリューポンプ５１は、モータＭの回転駆動により、ポンプスクリュー２７ａとポンプスクリュー２７ｂが非接触で噛合して同期回転し、被移送物が取入口３１からポンプスクリュー２７ａ，２７ｂの自由端側端面３２，３２の近傍に取り込まれる。このように取り込まれた被移送物はポンプスクリュー２７ａ，２７ｂのポンプ作用によりポンプ室２２内を圧送され吐出側空間２９を経て吐出口３０から吐出されるようになっている。斯かる構造に関連した２軸スクリューポンプは、例えば下記の特許文献１に開示されている。
【先行技術文献】
【特許文献】
【０００４】
【特許文献１】特開２０１０−１３９５１号公報
【考案の概要】
【考案が解決しようとする課題】
【０００５】
ところで、ポンプスクリュー２７ａ，２７ｂを回転軸２８ａ，２８ｂから取り外すときは、一組のポンプスクリュー２７ａ，２７ｂをまとまった状態で抜き取らなければならないために十分な注意が必要となる。他方で、キー５３はポンプ全体の大きさに対し比較的小さな部品である。そのため、比較的小さなキー５３にまで注意が行き届かず、ボルト５４および座金板５２を回転軸２８ａ，２８ｂから取り外したときに失念して、キー５３を第１キー溝３５または第２キー溝３６内に残したままにしていることがある。あるいは、第１キー溝３５および第２キー溝３６からキー５３を取り出したとしても、キー５３が小さいために紛失しやすいという不具合もあった。
【０００６】
本考案は、上記した従来の問題点に鑑みてなされたものであって、回転軸から被取付物を取り外す際に、キーを第１キー溝または第２キー溝に取り残すことがなく、取り出した小さなキーを紛失しにくい座金部材およびこれを用いた２軸スクリューポンプの提供を目的とする。
【課題を解決するための手段】
【０００７】
上記目的を達成するために、本考案に係る座金部材は、回転軸の先端面に形成された雌ネジ穴と螺合するボルトを挿通するためのボルト挿通穴を有し、回転軸の外周面に装着された被取付物を回転軸心方向について抜け止め支持するために前記ボルト挿通穴に挿通されたボルトにより回転軸の先端面に固定される座金板部と、回転軸に形成されている第１キー溝、および、この第１キー溝と対面する位置の被取付物に形成されている第２キー溝の双方に嵌装されて、回転軸に被取付物を回転軸周方向について固定するキー部と、が一体に連結されている構成にしてある。
【０００８】
また、本考案に係る２軸スクリューポンプは、非接触に噛合して回転する一対のポンプスクリューと、このポンプスクリューのそれぞれの軸穴に装着される一対の回転軸と、一対のポンプスクリューを収容するポンプ室が内部に形成されたポンプケーシングと、このポンプケーシングに連結されていて一対の回転軸の片端をそれぞれ支承する軸受部とを備え、一対の回転軸およびポンプスクリューの回転駆動により、被移送物をポンプケーシングのポンプスクリュー自由端側からポンプ室に取り入れ、ポンプケーシングにおけるポンプ室と軸受部間の位置に設けた吐出口から被移送物を吐出する２軸スクリューポンプにおいて、一対の回転軸の自由端側に第１キー溝がそれぞれ形成され、一対の回転軸の外周面に装着されたポンプスクリューにおける前記第１キー溝と対面する位置の軸穴に、第２キー溝がそれぞれ形成され、一対の回転軸の自由端側端面に雌ネジ穴がそれぞれ形成され、更に、請求項１記載の座金部材におけるキー部が第１キー溝および第２キー溝の双方に嵌装されることにより、ポンプスクリューが回転軸に回転軸周方向について固定され、座金部材における座金板部のボルト挿通穴に挿通されたボルトが回転軸の雌ネジ穴と螺合することにより、ポンプスクリューが回転軸に回転軸心方向について抜け止め支持されるものである。
【考案の効果】
【０００９】
本考案に係る座金部材によれば、回転軸の先端面にボルトで固定される座金板部と、回転軸の第１キー溝および被取付物の第２キー溝の双方に嵌装されるキー部と、が一体に連結されているので、回転軸から被取付物を抜き取るために、ボルトおよび座金部材の座金板部が回転軸から取り外されると、座金板部と一体のキー部も同時に第１キー溝および第２キー溝から抜き出される。従って、被取付物を回転軸から取り外す際に、第１キー溝または第２キー溝内にキーが取り残されたり、第１キー溝または第２キー溝から抜き出された小さなキーを紛失したりすることを防ぐことができる。
【００１０】
また、本考案に係る２軸スクリューポンプによれば、前記の座金板部と前記のキー部とが一体に連結された座金部材を用いているので、同時に取り扱わなければならない厄介な一対のポンプスクリューを着脱するにあたり、回転軸への座金板部の取り付けの際には、同時にキー部を第１キー溝および第２キー溝に嵌装することができる。一方、回転軸からの座金板部の取り外しの際には、同時にキー部を第１キー溝および第２キー溝から抜き取ることができる。
【図面の簡単な説明】
【００１１】
【図１】本考案の一実施形態に係る座金部材を分解した状態を示す図であって、（ａ）は斜視図、（ｂ）は（ａ）の反対側から眺めた斜視図である。
【図２】前記座金部材、ボルト、Ｏ−リングなどを示す側面図である。
【図３】前記座金部材を用いて２軸スクリューポンプを組み立てた状態を示す図であって、（ａ）は一部断面を含む側面図、（ｂ）は一部平面を含む平断面図である。
【図４】前記座金部材を用いた２軸スクリューポンプを分解した状態を示す図であって、（ａ）は側面分解図、（ｂ）は平面分解図である。
【図５】前記座金部材を用いて２軸スクリューポンプの回転軸にポンプスクリューを固定する態様を示す図であって、（ａ）はボルト締緩工具をボルトに装着する状態を示す側面図、（ｂ）は廻り止め工具を座金部材の切欠き部に装着する状態を示す正面図、（ｃ）は廻り止め工具およびボルト締緩工具を用いてボルトを回す状態を示す正面図である。
【図６】前記座金部材を用いて一方の回転軸にポンプスクリューを固定した状態を示す部分側断面図である。
【図７】従来の座金板およびキーによりポンプスクリューが回転軸に固定された状態の２軸スクリューポンプを示す一部断面を含む側面図である。
【考案を実施するための形態】
【００１２】
本考案の実施形態を図面に基づいて説明する。尚、以下に述べる実施形態は本考案を具体化した一例に過ぎず、本考案の技術的範囲を限定するものでない。図１は本考案の一実施形態に係る座金部材を分解した状態を示す図であって、（ａ）は斜視図、（ｂ）は（ａ）の反対側から眺めた斜視図、図２は前記座金部材、ボルト、Ｏ−リングなどを示す側面図である。但し、図７に示した従来の座金板５２およびキー５３を用いた２軸スクリューポンプ５１と同一の構成要素には、同一の符号を付すとともにその詳細な説明を省略することがある。
図１，２において、この実施形態に係る座金部材１は、座金板部２とキー部３とから構成されている。
【００１３】
前記の座金板部２は、円盤状に形成されたステンレス鋼製の盤体４で構成されている。盤体４には、その一面４Ａと他面４Ｂとを連通するボルト挿通穴５が貫通して形成されている。ボルト挿通穴５は、ボルト１１の雄ネジ部１７を挿通するためのものである。盤体４の一面４Ａにおけるボルト挿通穴５の周囲には、バネ座金１３を収容するための受け部７が形成されている。盤体４の他面４Ｂにおけるボルト挿通穴５の近傍位置には、例えば円形の取付け穴６が形成されている。そして、盤体４の外周面の対角位置には、スパナなどで挟持される一対の切欠き部８，８が形成されている。前記のキー部３は例えばステンレス鋼製であって、角柱状に形成されたキー部分９と、円柱状に形成されたピン部分１０と、から一体に構成されている。すなわち、キー部３のピン部分１０が座金板部２の取付け穴６に焼き嵌めにより挿入されて固着される。これにより、キー部３が座金板部２に一体に連結される。
【００１４】
前記のように構成された座金部材１は、図２に示すように、ボルト１１、Ｏ−リング１２、バネ座金１３、およびＯ−リング１４とともに、２軸スクリューポンプ５１の部品として使用される。前記のボルト１１は、回転軸２８ａ，２８ｂの自由端側端面（先端面）２８Ａ，２８Ａに形成された雌ネジ穴３８，３８と螺合する雄ネジ部１７と、レンチなどのボルト締緩工具が装着されるボルト頭１５と、座金板部２の受け部７内にバネ座金１３を押し込むためにボルト頭１５と雄ネジ部１７の間に形成されたバネ押え部１６と、から一体的に構成されている。
【００１５】
前記した座金部材１を用いる２軸スクリューポンプ５１は、図３に示すように、正面視で繭形のポンプ室２２を内蔵するポンプケーシング２３と、ポンプケーシング２３に連結された軸受部２４と、を備えている。ポンプケーシング２３は、ポンプ室２２を有する前後筒状の本体ケーシング２５と、本体ケーシング２５の前面開口に連結された口金２６とから構成されている。ポンプ室２２内には、非接触で噛合して回転する一対のポンプスクリュー２７ａ，２７ｂが収容されている。ポンプスクリュー２７ａ，２７ｂはそれぞれの軸穴３７，３７に、回転軸２８，２８ｂが装着される。ポンプスクリュー２７ａの螺旋方向とポンプスクリュー２７ｂの螺旋方向は逆向きである。本体ケーシング２５内におけるポンプ室２２と軸受部２４間は、吐出側空間２９となっている。この吐出側空間２９を臨む位置の本体ケーシング２５に、被移送物を吐出するための吐出口３０が形成されている。
【００１６】
軸受部２４は、ハウジングとグランドカバー板３９とから箱状に形成されており、グランドカバー板３９の端面に本体ケーシング２５の後面開口が連結されている。ハウジング内には円錐コロ軸受とコロ軸受が２組配備されている。これらの円錐コロ軸受およびコロ軸受は、回転軸２８ａ，２８ｂの片端をそれぞれ回動自在に支承している。ポンプスクリュー２７ａの回転軸２８ａには同期歯車４０ａが固着されており、ポンプスクリュー２７ｂの回転軸２８ｂには、前記した同期歯車４０ａと噛合する同期歯車４０ｂが固着されている。これら同期歯車４０ａと同期歯車４０ｂとの同期噛合により、一対のポンプスクリュー２７ａ，２７ｂが非接触で噛合して回転する。この場合、ポンプスクリュー２７ｂの回転軸２８ｂが回転駆動軸としてモータＭに連結されている。
【００１７】
そして、一対の回転軸２８ａ，２８ｂにおける自由端側端面２８Ａ寄りの外周面には、正面視で角溝状の第１キー溝３５，３５が形成されている。回転軸２８ａ，２８ｂの外周面に装着された状態のポンプスクリュー２７ａ，２７ｂにおいて第１キー溝３５，３５と対面する位置の軸穴３７，３７には、正面視で角溝状の第２キー溝３６，３６が形成されている。回転軸２８ａ，２８ｂの自由端側端面２８Ａ，２８Ａには、雌ネジ穴３８，３８がそれぞれ形成されている。更に、座金部材１のキー部分９が第１キー溝３５および第２キー溝３６の双方に嵌装されることにより、ポンプスクリュー２７ａ，２７ｂが回転軸２８ａ，２８ｂに回転軸周方向について固定される。また、座金部材１の座金板部２のボルト挿通穴５に挿通されたボルト１１の雄ネジ部１７が回転軸２８ａ，２８ｂの雌ネジ穴３８，３８と螺合することにより、ポンプスクリュー２７ａ，２７ｂが回転軸２８ａ，２８ｂに回転軸心Ｃ方向について抜け止め支持される。
【００１８】
この２軸スクリューポンプ５１では、モータＭの回転駆動により、回転軸２８ｂおよびポンプスクリュー２７ｂが一方向に回転すると、同期歯車４０ａ，４０ｂを介して動力伝達された回転軸２８ａおよびポンプスクリュー２７ａが逆回りに同期回転する。そこで、被移送物は取入口３１からポンプスクリュー２７ａ，２７ｂへ案内されポンプ室２２内で移送されたのち、吐出側空間２９を経て吐出口３０から吐出されるようになっている。
【００１９】
上記のように構成された座金部材１およびこれを用いた２軸スクリューポンプ５１の作用を次に説明する。
まず、上記した２軸スクリューポンプ５１の分解状態を図４に示す。軸受部２４から前方に延びた４本のスタッドボルトに、グランドカバー板３９が挿通されて軸受部２４の前面開口に装着される。次に、一体的に組み合わせられたポンプスクリュー２７ａ，２７ｂの軸穴３７，３７が回転軸２８ａ，２８ｂに装着される。これにより、ポンプスクリュー２７ａ，２７ｂの自由端側端面３２，３２と、軸穴３７，３７から覗いた回転軸２８ａ，２８ｂの自由端側端面（先端面）２８Ａ，２８Ａとが、ほぼ面一の状態になる。そして、第１キー溝３５と第２キー溝３６とが対向する位置にくるまで、ポンプスクリュー２７ａ，２７ｂが回転軸２８ａ，２８ｂに対し軸周方向に回される。一方、座金部材１におけるキー部３のキー部分９がＯ−リング１４内に通される。そして、バネ座金１３およびＯ−リング１２を通されたボルト１１の雄ネジ部１７が、座金部材１における座金板部２のボルト挿通穴５に通されて、組み立て状態にされる。そして、先ほどのキー部３のキー部分９が、第１キー溝３５および第２キー溝３６に嵌め込まれる。ほぼ同時に、座金板部２における盤体４の他面４Ｂが、ポンプスクリュー２７ａ，２７ｂの自由端側端面３２，３２および回転軸２８ａ，２８ｂの自由端側端面２８Ａ，２８Ａに当接する。このとき、ボルト１１の雄ネジ部１７は回転軸２８ａ，２８ｂの雌ネジ穴３８，３８の入口に接している。
【００２０】
そこで、図５（ａ）に示すように、メガネレンチなどに代表されるボルト締緩工具１８がボルト１１のボルト頭１５に装着される。更に、スパナなどに代表される廻り止め工具１９が、座金部材１における座金板部２の切欠き部８，８に装着される（図５（ｂ）および図５（ｃ）の矢印Ｄ）。そして、廻り止め工具１９で座金板部２の回り止めをしながら、ボルト締緩工具１８が回されることにより（図５（ｃ）の矢印Ｅの時計方向廻り）、ボルト１１の雄ネジ部１７が雌ネジ穴３８に螺止される。これにより、座金部材１の座金板部２が、回転軸２８ａ，２８ｂの自由端側端面２８Ａ，２８Ａに固定される。すなわち、図６に示すように、座金部材１のキー部３により、ポンプスクリュー２７ａ，２７ｂが回転軸２８ａ，２８ｂの軸周方向について固定される。同時に、座金部材１の座金板部２により、ポンプスクリュー２７ａ，２７ｂが回転軸心Ｃ方向について抜け止め支持されるのである。
【００２１】
一方で、回転軸２８ａ，２８ｂからポンプスクリュー２７ａ，２７ｂを抜き取るときは、図５（ｃ）の状態から、ボルト締緩工具１８を用いてボルト１１を逆回りに弛めると、ボルト１１が回転軸２８ａ，２８ｂの雌ネジ穴３８，３８から出てくるのに伴って、座金部材１全体が自由端側端面２８Ａから離れるように軸心Ｃ方向に引き出される。これに伴って、キー部３も同時に第１キー溝３５および第２キー溝３６から抜き出されるのである。
従って、回転軸２８ａ，２８ｂからポンプスクリュー２７ａ，２７ｂを抜き取るために、従来技術のようにボルト５４および座金板５２を取り外したときに、キー５３が第１キー溝３５または第２キー溝３６内に残ったままになっていることがない。あるいは、第１キー溝３５および第２キー溝３６からキー５３を取り出した場合でも、取り出した小さなキー５３を紛失するという不具合を避けることができる。
【００２２】
尚、上記の実施形態では、キー部３のピン部分１０を焼き嵌めによって座金板部２の取付け穴６に固着して連結した例を示したが、本考案の連結態様はそれに限定されるものでない。前記の焼き嵌めに替えて、例えばキー部３のピン部分１０を座金板部２の取付け穴６に圧入により連結する態様、ピン部分１０に雄ネジ部を設けるとともにその雄ネジ部と螺合する雌ネジ部を取付け穴６に設けて連結する態様、または、接着剤などを用いて固着させる連結態様などを適用しても構わない。
【００２３】
また、上記では座金部材の材料としてステンレス鋼を用いたが、ステンレス鋼に替えて、キーおよび座金として使用可能な機械的強度を持つ他の材料で座金部材を構成することも可能である。
また、上記では、座金部材を２軸スクリューポンプに適用した例を示したが、本考案に係る座金部材は、２軸スクリューポンプ以外であっても、回転軸、被取付物、第１キー溝、および第２キー溝を有する装置や機械であれば適用可能である。
【符号の説明】
【００２４】
１    座金部材
２    座金板部
３    キー部
５    ボルト挿通穴
６    取付け穴
９    キー部分
１０  ピン部分
１１  ボルト
１７  雄ネジ部
２２  ポンプ室
２３  ポンプケーシング
２４  軸受部
２７ａ，２７ｂ  ポンプスクリュー（被取付物）
２８ａ，２８ｂ  回転軸
２８Ａ  自由端側端面（先端面）
３０  吐出口
３１  取入口
３５  第１キー溝
３６  第２キー溝
３７  軸穴
３８  雌ネジ穴
５１  ２軸スクリューポンプ
Ｃ  軸心
【図１】
0003181159.tif 000003
【図２】
0003181159.tif 000004
【図３】
0003181159.tif 000005
【図４】
0003181159.tif 000006
【図５】
0003181159.tif 000007
【図６】
0003181159.tif 000008
【図７】
0003181159.tif 000009
【手続補正書】
【提出日】平成24年11月20日(2012.11.20)
【手続補正１】
【補正対象書類名】実用新案登録請求の範囲
【補正対象項目名】請求項２
【補正方法】変更
【補正の内容】
【請求項２】
非接触に噛合して回転する一対のポンプスクリューと、このポンプスクリューのそれぞれの軸穴に装着される一対の回転軸と、一対のポンプスクリューを収容するポンプ室が内部に形成されたポンプケーシングと、このポンプケーシングに連結されていて一対の回転軸の片端をそれぞれ支承する軸受部とを備え、一対の回転軸およびポンプスクリューの回転駆動により、被移送物をポンプケーシングのポンプスクリュー自由端側からポンプ室に取り入れ、ポンプケーシングにおけるポンプ室と軸受部間の位置に設けた吐出口から被移送物を吐出する２軸スクリューポンプにおいて、
一対の回転軸の自由端側に第１キー溝がそれぞれ形成され、一対の回転軸の外周面に装着されたポンプスクリューにおける前記第１キー溝と対面する位置の軸穴に、第２キー溝がそれぞれ形成され、一対の回転軸の自由端側端面に雌ネジ穴がそれぞれ形成され、更に、請求項１記載の座金部材が使用されるとともに該座金部材のキー部が第１キー溝および第２キー溝の双方に嵌装されることにより、ポンプスクリューが回転軸に回転軸周方向について固定され、座金部材における座金板部のボルト挿通穴に挿通されたボルトが回転軸の雌ネジ穴と螺合することにより、ポンプスクリューが回転軸に回転軸心方向について抜け止め支持されることを特徴とする２軸スクリューポンプ。
【手続補正２】
【補正対象書類名】明細書
【補正対象項目名】０００８
【補正方法】変更
【補正の内容】
【０００８】
また、本考案に係る２軸スクリューポンプは、非接触に噛合して回転する一対のポンプスクリューと、このポンプスクリューのそれぞれの軸穴に装着される一対の回転軸と、一対のポンプスクリューを収容するポンプ室が内部に形成されたポンプケーシングと、このポンプケーシングに連結されていて一対の回転軸の片端をそれぞれ支承する軸受部とを備え、一対の回転軸およびポンプスクリューの回転駆動により、被移送物をポンプケーシングのポンプスクリュー自由端側からポンプ室に取り入れ、ポンプケーシングにおけるポンプ室と軸受部間の位置に設けた吐出口から被移送物を吐出する２軸スクリューポンプにおいて、一対の回転軸の自由端側に第１キー溝がそれぞれ形成され、一対の回転軸の外周面に装着されたポンプスクリューにおける前記第１キー溝と対面する位置の軸穴に、第２キー溝がそれぞれ形成され、一対の回転軸の自由端側端面に雌ネジ穴がそれぞれ形成され、更に、請求項１記載の座金部材が使用されるとともに該座金部材のキー部が第１キー溝および第２キー溝の双方に嵌装されることにより、ポンプスクリューが回転軸に回転軸周方向について固定され、座金部材における座金板部のボルト挿通穴に挿通されたボルトが回転軸の雌ネジ穴と螺合することにより、ポンプスクリューが回転軸に回転軸心方向について抜け止め支持されるものである。